(57)【要約】【課題】本発明は、構造が簡単で、バッテリカバーの着脱が便利なロック装置及びそれを用いる携帯式電子装置を提供することを目的とする。【解決手段】本発明に係るロック装置は、固定基体と、スライド可能に前記固定基体の両側に装着される２つの係合部材と、前記２つの係合部材の間に装着され且つ前記２つの係合部材近接・離間に弾性力を提供する弾性部材と、前記固定基体にスライド可能に装着され且つ前記２つの係合部材のスライドを駆動する解放部材と、を備える。【選択図】図１
2011008761.tif 000002
【特許請求の範囲】
【請求項１】
固定基体と、
スライド可能に前記固定基体の両側に装着される２つの係合部材と、
前記２つの係合部材の間に装着され且つ前記２つの係合部材の近接・離間に弾性力を提供する弾性部材と、
前記固定基体にスライド可能に装着され且つ前記２つの係合部材のスライドを駆動する解放部材と、
を備えることを特徴とするロック装置。
【請求項２】
前記２つの係合部材は、スライド斜面が形成されているスライド凹所をそれぞれに備え、
前記解放部材は、弧状の押圧部及び前記押圧部の両側から延伸され且つそれぞれ前記２つのスライド凹所のスライド斜面に当接するＬ字状の２つのアーム部を備えることを特徴とする請求項１に記載のロック装置。
【請求項３】
前記２つの係合部材は、それぞれ外側に延伸して形成されているＬ字状の係合部を含む係合端部を備えることを特徴とする請求項２に記載のロック装置。
【請求項４】
前記固定基体は、底部と、前記底部の４つの側辺にそれぞれに垂直形成されている第一側壁、第二側壁、第三側壁及び第四側壁と、を備え、前記底部、前記第一側壁、前記第二側壁、前記第三側壁及び前記第四側壁によって収容空間が形成され、
前記２つの係合部材、前記弾性部材及び前記解放部材は前記収容空間に装着されることを特徴とする請求項１に記載のロック装置。
【請求項５】
前記第一側壁には、前記収容空間に連通され且つ前記解放部材を収納する第一開口部が形成され、
前記第二側壁及び第四側壁には、前記収容空間に連通され且つ前記２つの係合部材を収納する第二開口部がそれぞれに形成され、
前記２つの係合部材の係合端部は、それぞれ前記２つの第二開口部を貫いて前記固定基体の両側から外部に突出されることを特徴とする請求項４に記載のロック装置。
【請求項６】
前記第三側壁に近接する前記底部には、２つの凸部が対称的に形成され、且つ前記２つの係合部材の接続端部はそれぞれ前記２つの凸部に当接されることを特徴とする請求項４に記載のロック装置。
【請求項７】
ハウジングと、バッテリカバーと、ロック装置と、を備えてなる携帯式電子装置において、
前記ハウジングの表面には、２つの係合フックが対称的に形成され、
前記バッテリカバーは、前記ロック装置によって着脱可能に前記ハウジングの表面に装着され、
前記ロック装置は、前記バッテリカバーに装着される固定基体と、スライド可能に前記固定基体に装着される２つの係合部材と、前記２つの係合部材の間に装着され且つ前記２つの係合部材の近接・離間に弾性力を提供する弾性部材と、前記固定基体にスライド可能に装着され且つ２つの係合部材のスライドを駆動する解放部材と、を備え、
前記解放部材の駆動による前記係合フックと前記係合部材との係合及び脱離によって、前記ハウジングと前記バッテリカバーを着脱することを特徴とする携帯式電子装置。
【請求項８】
前記２つの係合フックに対応する前記バッテリカバーに切欠部が開設され、
前記固定基体は前記切欠部に対応に装着され、
前記解放部材は部分的に前記切欠部に収納されることを特徴とする請求項７に記載の携帯式電子装置。
【請求項９】
前記２つの係合部材は、スライド斜面が形成されているスライド凹所をそれぞれに備え、
前記解放部材は、前記バッテリカバーの切欠部に収納される弧状の押圧部と、それぞれ前記押圧部の両側に延伸され且つ前記２つのスライド凹所のスライド斜面に当接する「Ｌ」字形のアーム部と、を備えることを特徴とする請求項８に記載の携帯式電子装置。
【請求項１０】
前記２つの係合フックは、「Ｌ」字形であり、前記ハウジングの幅方向に沿って対称及び対向に形成され、
前記２つの係合部材は、それぞれ外側に延伸して形成されている「Ｌ」字形の係合部を含む係合端部を備え、
前記２つの係合フックと前記２つの係合端部とがそれぞれに係合されることを特徴とする請求項７に記載の携帯式電子装置。
【請求項１１】
前記固定基体は、底部と、前記底部の４つの側辺にそれぞれに垂直形成されている第一側壁、第二側壁、第三側壁及び第四側壁と、を備え、前記底部、前記第一側壁、前記第二側壁、前記第三側壁及び前記第四側壁によって収容空間が形成され、
前記２つの係合部材、前記弾性部材及び前記解放部材は前記収容空間に装着されることを特徴とする請求項８に記載の携帯式電子装置。
【請求項１２】
前記第一側壁には、前記収容空間に連通され且つ前記解放部材を収納する第一開口部が形成され、
前記第二側壁及び第四側壁には、前記収容空間に連通され且つ前記２つの係合部材をそれぞれに収納する第二開口部がそれぞれに形成され、
前記２つの係合部材の係合端部は、前記２つの第二開口部からそれぞれ前記固定基体の両側の外部に突出されることを特徴とする請求項１０に記載の携帯式電子装置。
【請求項１３】
前記バッテリカバーは、底板と、前記底板の周辺から湾曲且つ延伸して形成される周側壁と、前記バッテリカバーの一端側に形成される切欠部と、前記切欠部の両側の周側壁の内面にそれぞれに形成される２つの固定突起と、を備え、
固定基体の第一開口部の両側の第一側壁には、前記バッテリカバーの２つの固定突起にそれぞれに係合される２つの固定穴が形成され、
前記ロック装置は、前記２つの固定突起と前記２つの固定穴の結合によって前記バッテリカバーに固定されることを特徴とする請求項１２に記載の携帯式電子装置。
【発明の詳細な説明】
【技術分野】
【０００１】
本発明は、携帯式電話、個人情報端末（ＰＤＡ）のような携帯式電子装置に用いられるロック装置に関するものである。
【背景技術】
【０００２】
現在、バッテリで電気エネルギーを提供する携帯式電話、個人情報端末のような携帯式電子装置は広く用いられている。バッテリはハウジングとバッテリカバーによって携帯式電子装置の内部に装着されて、前記携帯式電子装置に電気エネルギーを提供する。容量がなくなったバッテリは携帯式電子装置から取り外す必要がある。従って、バッテリを便利に取出すために、いろいろなバッテリカバーが設計されている。
【０００３】
従来の携帯式電話のバッテリカバーは、底板、左側壁、右側壁及び端側壁を備える。前記底板が大体矩形板であり、前記左側壁及び前記右側壁が前記底板の両側辺から湾曲且つ延伸して形成され、前記端側壁が前記底板の一端から湾曲且つ延伸して形成され、前記端側壁の両端が前記左側壁及び前記右側壁にそれぞれに連接されて、一端が開放され且つ他端が閉口された収容空間を形成する。前記底板の前記端側壁に対向する一端には、携帯式電話のハウジングに形成されている凹部に係合される前方へ突起された突起部が形成されている。前記バッテリカバーを前記ハウジングに装着する時、先ず、前記バッテリカバーの左側壁及び右側壁を前記ハウジングの両側にそれぞれに対応させる一方、前記バッテリカバーの突起部を前記ハウジングの凹部に対向させてから、前記バッテリカバーを前方に推進させて、前記バッテリカバーの突起部を前記ハウジングの凹部に係合させると同時に、前記バッテリカバーの左側壁、右側壁及び端側壁をそれぞれ前記ハウジングの両側壁及び端側壁に緊密に結合させる。このような構造のバッテリカバーはハウジングから分離してバッテリを取出せるが、前記バッテリカバーを前記ハウジングから分離させる場合、前記バッテリカバーの左側壁、右側壁及び端側壁が前記ハウジングに緊密に結合されているので、前記バッテリカバーが前記ハウジングから分離し難く、バッテリの取出しが不便になる。
【発明の概要】
【発明が解決しようとする課題】
【０００４】
以上の問題点に鑑みて、本発明は、構造が簡単で、バッテリカバーの着脱が容易なロック装置及びそれを用いる携帯式電子装置を提供することを目的とする。
【課題を解決するための手段】
【０００５】
前記問題を解決するために、本発明に係るロック装置は、固定基体と、スライド可能に前記固定基体の両側に装着される２つの係合部材と、前記２つの係合部材の間に装着され且つ前記２つの係合部材に弾性力を提供する弾性部材と、前記固定基体にスライド可能に装着され且つ前記２つの係合部材のスライドを駆動する解放部材と、を備える。
【０００６】
また、本発明に係る携帯式電子装置は、ハウジングと、バッテリカバーと、ロック装置と、前記ハウジングと前記バッテリカバーとの着脱を行うロック装置とを備える。前記ハウジングの表面には、２つの係合フックが対称的に形成され、前記バッテリカバーは、前記ロック装置によって着脱可能に前記ハウジングの表面に装着され、前記ロック装置は、前記バッテリカバーに装着される固定基体と、スライド可能に前記固定基体に装着される２つの係合部材と、前記２つの係合部材の間に装着され且つ前記２つの係合部材に弾性力を提供する弾性部材と、前記固定基体にスライド可能に装着され且つ２つの係合部材のスライドを駆動する解放部材と、を備え、前記解放部材の駆動による前記係合フックと前記係合部材との係合及び脱離によって、前記ハウジングと前記バッテリカバーとの着脱を実現する。
【発明の効果】
【０００７】
本発明に係るロック装置は、構造が簡単であって、携帯式電子装置のバッテリカバーに装着されており、前記ロック装置の解放部材を押圧することにより、前記ロック装置の弾性部材と前記携帯式電子装置のハウジングの係合フックとの間の着脱を実現できるので、本発明のロック装置によって携帯式電子装置のバッテリカバーとハウジングの着脱を容易及び迅速に実現できる。
【図面の簡単な説明】
【０００８】
【図１】本発明に係る携帯式電子装置の分解図である。
【図２】本発明に係るロック装置の分解図である。
【図３】本発明に係る携帯式電子装置の局部拡大図である。
【図４】本発明に係るロック装置が押圧された後の局部拡大図である。
【発明を実施するための形態】
【０００９】
以下、図面に基づいて、本発明の実施形態に係るロック装置及びそれを用いる携帯式電子装置に対して詳細に説明する。
【００１０】
図１を参照すると、本発明に係る携帯式電子装置１００は、ハウジング１０、バッテリカバー３０及びロック装置５０を備える。
【００１１】
前記ハウジング１０は、矩形体であり、表面１１と、前記ハウジング１０の端部に近接する前記表面１１に凸設されている２つの係合フック１５と、前記２つの係合フック１５に近接するように前記表面１１から凹設されているバッテリを収容するための収容部１６と、を備える。前記２つの係合フック１５は、「Ｌ」字形であり、前記ハウジング１０の幅方向に沿って対向して設置される。
【００１２】
前記バッテリカバー３０は、底板３１と、前記底板３１の周辺から湾曲且つ延伸して形成される周側壁３３と、前記ロック装置５０を収納するための切欠部３５と、前記ロック装置５０を固定するための２つの固定突起３７と、を備える。前記切欠部３５は、前記バッテリカバー３０の一端に形成され且つ前記ハウジング１０の２つの係合フック１５に対応される。前記２つの固定突起３７は、前記切欠部３５の両側の周側壁３３の内面にそれぞれに形成される。前記バッテリカバー３０は着脱可能に前記ハウジング１０の表面１１に装着される。
【００１３】
図１及び図２を参照すると、前記ロック装置５０は前記バッテリカバー３０の切欠部３５に装着される。前記ロック装置５０は、固定基体５１と、解放部材５３と、２つの係合部材５５と、弾性部材５８と、を備える。
【００１４】
前記固定基体５１は、矩形体であり、底部５１５と、前記底部５１５の４つの側辺にそれぞれに垂直形成されている第一側壁５１１、第二側壁５１２、第三側壁５１３及び第四側壁５１４と、を備える。前記底部５１５、前記第一側壁５１１、前記第二側壁５１２、前記第三側壁５１３及び前記第四側壁５１４によって収容空間が形成される。前記第一側壁５１１及び前記第二側壁５１２は、それぞれ前記第三側壁５１３及び前記第四側壁５１４に平行する。
【００１５】
前記第一側壁５１１の中央部には、前記収容空間に連通され且つ前記解放部材５３を収納するための第一開口部５１６が形成されている。前記第一側壁５１１の前記第一開口部５１６の両側には、前記バッテリカバー３０の２つの固定突起３７にそれぞれに対応される２つの固定穴５１７が形成されており、前記ロック装置５０は前記２つの固定突起３７と前記２つの固定穴５１７の結合によって前記バッテリカバー３０に固定される。前記第二側壁５１２及び第四側壁５１４の中央部には、前記収容空間に連通され且つ前記２つの係合部材５５を収納するための第二開口部５１８がそれぞれに形成されている。前記第三側壁５１３に近接する前記底部５１５には、２つの凸部５１９が対称的に形成されている。前記２つの第二開口部５１８及び前記２つの凸部５１９はそれぞれ１つの直線に位置し、前記２つの直線は前記第一側壁５１１及び前記第三側壁５１３に平行する。
【００１６】
前記解放部材５３は、押しボタンであり、前記固定基体５１の収容空間にスライド可能に装着され、且つ前記解放部材５３の一部分は前記バッテリカバー３０の切欠部３５内に収納される。前記解放部材５３を通して前記ハウジング１０に対する前記バッテリカバー３０の着脱を実現することができる。
【００１７】
前記解放部材５３は、押圧部５３１及び２つのアーム部５３３を備える。前記押圧部５３１は、弧状体であり、そのサイズは前記バッテリカバー３０の切欠部３５のサイズに相当する。前記押圧部５３１が前記切欠部３５に収納されることによって前記解放部材５３が前記バッテリカバー３０に装着される。前記２つのアーム部５３３は、大体に「Ｌ」字形であり、前記押圧部５３１の両側から対称的に延伸されている。
【００１８】
前記２つの係合部材５５は、反対方向にスライド可能に前記固定基体５１の第二側壁５１２及び第四側壁５１４の２つの第二開口部５１８にそれぞれに装着され、且つ前記ハウジング１０の２つの係合フック１５にそれぞれに係合される。各々の係合部材５５の一端は接続端部５５１であり、他端は係合端部５５３である。各々の接続端部５５１には前記弾性部材５８を接続するための接続突起５５２が形成されている。各々の係合端部５５３には前記ハウジング１０の係合フック１５に係合するための大体「Ｌ」字形の係合部５５４が外側に延伸して形成されている。前記２つの係合部材５５の中央部には、大体「Ｖ」字形のスライド凹所５５５がそれぞれに形成されている。前記スライド凹所５５５には、スライド斜面５５７が形成されている。前記解放部材５３を押圧しない場合、前記解放部材５３の２つのアーム部５３３の先端は、前記スライド斜面５５７の前記スライド凹所５５５の開口に近付く位置に当接する（前記２つのアーム部５３３の先端の初期位置を指す）。
【００１９】
前記解放部材５３のスライド方向と前記２つの係合部材５５のスライド方向は、大体垂直する。
【００２０】
前記弾性部材５８は、圧縮スプリングである。前記弾性部材５８の両端には、連結孔を有する連結部５８１が形成されている。前記２つの接続突起５５２が対応される前記連結部５８１の連結孔を貫くことにより、前記弾性部材５８は前記２つの係合部材５５の間に装着される。
【００２１】
図１ないし図３を参照すると、前記ロック装置５０の組立てにおいて、先ず、前記解放部材５３を前記固定基体５１にスライド可能に装着する。ここで、前記解放部材５３の押圧部５３１は前記固定基体５１の第一開口部５１６に収納され、前記解放部材５３の２つのアーム部５３３は、前記解放部材５３の収容空間にそれぞれ前記第二側壁５１２及び前記第四側壁５１４に近接するように収納される。次に、前記２つの係合部材５５を前記第二側壁５１２及び前記第四側壁５１４に形成されている２つの第二開口部５１８にそれぞれに収納されるように前記解放部材５３の収容空間に装着する。この時、前記解放部材５３の２つの押圧部５３１の先端は前記スライド凹所５５５の開口のスライド斜面５５７に位置し、且つ前記２つの係合部材５５の接続端部５５１は前記２つの凸部５１９にそれぞれに当止される。しかも、前記２つの係合部材５５は前記２つの第二開口部５１８及び前記２つの凸部５１９のガイドによってそれぞれ直線運動を行なうことができる。前記２つの係合部材５５の係合端部５５３は前記２つの第二開口部５１８からそれぞれ前記固定基体５１の両側の外部に突出されている。次に、前記弾性部材の２つの連結部５８１と前記２つの係合部材５５の接続突起５５２との連結を通して前記弾性部材５８を前記２つの係合部材５５の間に装着することによって、前記ロック装置５０の組立てが完了される。
【００２２】
図１ないし図４を参照すると、前記携帯式電子装置１００の組立てにおいて、先ず、前記ロック装置５０を前記バッテリカバー３０に固定装着する。前記ロック装置５０は、前記固定基体５１の２つの固定穴５１７と前記バテッリカバー３０の２つの固定突起３７との結合によって前記バテッリカバー３０に固定され、前記ロック装置５０の解放部材５５の押圧部５５１は前記バテッリカバー３０の切欠部３５内にスライド可能に収納される。
【００２３】
次に、前記ロック装置５０が装着されているバッテリカバー３０を前記ハウジング１０に装着する。ここで、前記ロック装置５０が装着されているバッテリカバー３０を前記ハウジング１０の表面が完全に被さるように前記ハウジング１０に放置してから、前記解放部材５３を押圧すれば、前記解放部材５３の２つのアーム部５３３の先端がそれぞれ前記２つの係合部材５５の係合端部５５３のスライド凹所５５５のスライド斜面５５７を沿ってスライドする。前記アーム部５３３の先端のスライド斜面５５７を沿ってスライドすることによって前記２つの係合部材５５は前記弾性部材５８の弾性力を抵抗しながら対向にスライドする。この時、前記弾性部材５８は圧縮され、且つこれによって前記弾性部材５８には前記２つの係合部材５５を反対方向にスライドさせようとする付勢力が蓄積される。
【００２４】
次に、前記バッテリカバー３０を押して前記２つの係合部材５５の係合部５５４が前記ハウジング１０の２つの係合フック１５にそれぞれに向き合うようにしてから、前記解放部材５３を解放すれば、前記２つの係合部材５５の係合部５５４は前記弾性部材５８の付勢力によって前記ハウジング１０の２つの係合フック１５にそれぞれに係合され、前記解放部材５３の２つのアーム部５３３の先端は再び前記スライド凹所５５５の開口のスライド斜面５５７に位置する。上述したことによって、前記バッテリカバー３０は前記ハウジング１０に装着され、且つ前記携帯式電子装置１００の組立てが完了される。
【００２５】
前記バッテリカバー３０を前記ハウジング１０から分離することは、前記バッテリカバー３０を前記ハウジング１０に装着することと似ている。即ち、先ず、前記解放部材５３を押圧すれば、前記解放部材５３の２つのアーム部５３３の先端がそれぞれ前記２つの係合部材５５の係合端部５５３のスライド凹所５５５のスライド斜面５５７に沿ってスライドする。前記アーム部５３３の先端のスライド斜面５５７に沿ってスライドすることによって前記２つの係合部材５５は前記弾性部材５８の弾性力に抵抗しながら対向にスライドする。しかも、前記２つの係合部材５５が対向にスライドすることによって、前記２つの係合部材５５の係合部５５４と前記ハウジング１０の２つの係合フック１５との係合は解除されて、前記バッテリカバー３０は前記ハウジング１０から分離される。
【００２６】
本発明に係るロック装置５０は、構造が簡単であって、携帯式電子装置１００のバッテリカバー３０に装着されており、前記ロック装置５０の解放部材５３を押圧することにより、前記ロック装置５０の弾性部材５８と前記携帯式電子装置１００のハウジング１０の係合フック１５との間の着脱を実現できるので、本発明のロック装置５０によって携帯式電子装置１００のバッテリカバー３０とハウジング１０の着脱を便利及び迅速に実現できる。
【００２７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２８】
１００  携帯式電子装置
１０  ハウジング
１１  表面
１５  係合フック
１６  収容部
３０  バッテリカバー
３１  底板
３３  周側壁
３５  切欠部
３７  固定突起
５０  ロック装置
５１  固定基体
５１１  第一側壁
５１２  第二側壁
５１３  第三側壁
５１４  第四側壁
５１５  底部
５１６  第一開口部
５１７  固定穴
５１８  第二開口部
５１９  凸部
５３  解放部材
５３１  押圧部
５３３  アーム部
５５  係合部材
５５１  接続端部
５５２  接続突起
５５３  係合端部
５５４  係合部
５５５  スライド凹所
５５７  スライド斜面
５８  弾性部材
５８１  連結部
【図１】
2011008761.tif 000003
【図２】
2011008761.tif 000004
【図３】
2011008761.tif 000005
【図４】
2011008761.tif 000006